(57)【要約】【課題】  簡単な操作でユーザが日常的に起こる任意の事象を手軽に時刻と関連付けることを支援することができる印刷装置を提供することである。【解決手段】  携帯可能な印刷装置は、ユーザが印刷を指示するための操作部である印刷ボタンに対するユーザの操作に応じて現在時刻を取得し、タイムスタンプＴを生成し、生成したタイムスタンプＴを被印刷媒体であるラベルＬ２に印刷するように構成されている。これにより、タイムスタンプＴが印刷されたラベルＬ２を書籍やノート等の紙媒体に貼り付けることによって、時刻付きのしおりとして利用することができ、簡単な操作でユーザが日常的に起こる任意の事象を手軽に時刻と関連付けることを支援することができる。【選択図】    図１３
2005059293.tif 000002
【特許請求の範囲】
【請求項１】
携帯可能な印刷装置において、
ユーザからの操作を受け付け、ユーザが印刷を指示するための操作部と、
前記操作部に対するユーザの操作に応じて現在時刻を取得し、その現在時刻に基づいて印刷データを生成する印刷データ生成手段と、
前記印刷データ生成手段により生成された前記印刷データに基づいて、現在時刻を示すタイムスタンプを被印刷媒体に印刷する印刷部と、
を具備することを特徴とする印刷装置。
【請求項２】
前記被印刷媒体を収容する被印刷媒体収容部と、
前記被印刷媒体収容部から前記印刷部に前記被印刷媒体を搬送して供給する被印刷媒体搬送部と、
を具備することを特徴とする請求項１記載の印刷装置。
【請求項３】
画像を表示する表示部と、
前記印刷データ生成手段により取得された現在時刻を前記表示部に表示させる時刻表示手段と、
を具備する請求項１又は２記載の印刷装置。
【請求項４】
前記印刷データ生成手段により取得される現在時刻を生成する時刻生成手段と、
前記時刻生成手段に生成された現在時刻を修正する時刻修正手段と、
を具備することを特徴とする請求項１、２又は３記載の印刷装置。
【請求項５】
前記時刻修正手段は、
ユーザからの操作を受け付け、前記時刻生成手段により生成された現在時刻を修正するための修正操作部を有し、
前記修正操作部に対する操作者の操作に応じて、前記時刻生成手段に生成された現在時刻を修正することを特徴とする請求項４記載の印刷装置。
【請求項６】
前記時刻修正手段は、通信により外部から現在時刻を取得し、取得した現在時刻に基づいて、前記時刻生成手段により生成された現在時刻を修正することを特徴とする請求項４記載の印刷装置。
【請求項７】
前記被印刷媒体に対する前記タイムスタンプの位置を設定する位置設定手段を具備し、
前記印刷部は、前記位置設定手段により設定された前記タイムスタンプの位置に基づいて、前記タイムスタンプを前記被印刷媒体に印刷することを特徴とする請求項１又は２記載の印刷装置。
【請求項８】
画像を表示する表示部と、
前記位置設定手段により設定された前記タイムスタンプの位置を前記表示部に表示させる位置表示手段と、
を具備することを特徴とする請求項７記載の印刷装置。
【請求項９】
同じ内容の前記タイムスタンプを印刷する回数を設定する回数設定手段を具備し、
前記印刷部は、前記回数設定手段により設定された同じ内容の前記タイムスタンプを印刷する回数に基づいて、前記タイムスタンプを前記被印刷媒体に印刷することを特徴とする請求項１又は２記載の印刷装置。
【請求項１０】
画像を表示する表示部と、
前記回数設定手段により設定された前記タイムスタンプを印刷する回数を前記表示部に表示させる回数表示手段と、
を具備することを特徴とする請求項９記載の印刷装置。
【請求項１１】
前記被印刷媒体が印刷される印刷位置に対する前記被印刷媒体の有無を検出する有無検出手段と、
前記有無検出手段により検出された前記被印刷媒体の有無に応じて前記印字部の印刷動作を制限する印刷制限手段と、
を具備することを特徴とする請求項１又は２記載の印刷装置。
【請求項１２】
画像を表示する表示部と、
前記有無検出手段により検出された前記被印刷媒体の有無に応じて警告画像を前記表示部に表示させる警告表示手段と、
を具備することを特徴とする請求項１１記載の印刷装置。
【請求項１３】
前記印刷データ生成手段は、通信により外部から現在時刻を取得することを特徴とする請求項１ないし１２のいずれか一記載の印刷装置。
【請求項１４】
地球上での現在位置を取得する位置取得手段を具備し、
前記印刷部は、前記位置取得手段により取得された前記現在位置を前記被印刷媒体に印刷することを特徴とする請求項１ないし１３のいずれか一記載の印刷装置。
【請求項１５】
前記印刷データ生成手段により取得された前記現在時刻及び前記位置取得手段により取得された前記現在位置から所定のパターン情報を生成するパターン生成手段を具備し、
前記印刷部は、前記パターン生成手段により生成された所定のパターン情報に基づいて所定のパターンを前記被印刷媒体に印刷することを特徴とする請求項１４記載の印刷装置。
【請求項１６】
前記印刷データ生成手段により取得された前記現在時刻から所定のパターン情報を生成するパターン生成手段を具備し、
前記印刷部は、前記パターン生成手段により生成された所定のパターン情報に基づいて所定のパターンを前記被印刷媒体に印刷することを特徴とする請求項１ないし１４のいずれか一記載の印刷装置。
【請求項１７】
前記被印刷媒体は、接着剤からなる接着層を有していることを特徴とする請求項１ないし１６のいずれか一記載の印刷装置。
【請求項１８】
前記被印刷媒体は、ロール状に巻回されたロール紙であることを特徴とする請求項１ないし１７のいずれか一記載の印刷装置。
【発明の詳細な説明】
【技術分野】
【０００１】
本発明は、携帯可能な印刷装置に関する。
【背景技術】
【０００２】
携帯可能な印刷装置としては、携帯型又は手持ち型のプリンタが従来からよく知られており、主にノートＰＣ（Personal Computer）やＰＤＡ（Personal Digital Assistants）等の持ち運び可能なホスト機器に対する周辺機器として利用されている。このようなプリンタとしては、例えば、被印刷媒体を内蔵するラベルプリンタや被印刷媒体を内蔵せず被印刷媒体に対して直接印刷する走査型プリンタ等が用いられている。
【０００３】
被印刷媒体を内蔵するラベルプリンタは、セットされた被印刷媒体であるラベル等の小型の用紙上に文字パターンを印刷するプリンタである。また、直接印刷する走査型プリンタは、印刷ヘッドを紙等の被印刷媒体上で走査することにより、入力された印刷パターンをその被印刷媒体上に直接印刷するプリンタである。
【０００４】
前述したようなラベルプリンタとしては、例えば、印刷する文字及び数字を入力するためのボタン群やラベルカートリッジ等を格納するためのスペースを本体ケースに備えているプリンタが開発されている。ＵＳＢ（Universal Serial Bus）端子を搭載したプリンタも開発されている。このプリンタは、ホストとなるＰＣとＵＳＢ接続することにより、簡単な操作でラベルを印刷することができる。
【０００５】
また、前述したような走査型プリンタとしては、例えば、感熱式又はインクジェット式の手持ち型のプリンタが開発されている。このようなプリンタは、印刷ヘッドを被印刷媒体に押しつけながら直接印刷し、さらに、移動量を回転ローラによって検出し印刷速度をコントロールしたり（特許文献１参照）、あるいは、被印刷媒体に対するプリントヘッドの現在位置を光学位置センサによって検出し、その現在位置と画像の印刷済み部分の位置とに基づいて、被印刷媒体の対応する部分に画像の対応部分を印刷したりする（特許文献２参照）。
【０００６】
【特許文献１】特開平１０−２９３４６号公報
【特許文献２】特開２００２−３０７７５６公報
【発明の開示】
【発明が解決しようとする課題】
【０００７】
しかしながら、文字入力のために多数のボタンを必要とする従来のプリンタでは、その多数のボタンを配置するスペースが必要となり、装置が大型になってしまう。また、印刷したい文字列や数字列をいちいち手入力する必要があるので、印刷する前に面倒な操作が必要となるという問題点がある。
【０００８】
また、文字入力のために多数のボタンを必要としない従来のプリンタでも、いずれもホストとなるＰＣやＰＤＡの周辺機器という形で利用されている。すなわち、ユーザはプリンタを利用するためにホスト機器を併せて持ち運ぶ必要があるので、携帯型又は手持ち型のプリンタが本来持っている長所であるはずの「手軽さ」や「利用しやすさ」を損ねてしまうという問題点がある。
【０００９】
ところで、我々は日常のありとあらゆる場面において、常に時刻を頼りにして活動している。特に、近年の高度情報化社会において、時刻は益々重要な役割を持つようになっている。例えば、ＰＣやＰＤＡの急速な普及により、ビジネスを始めとするあらゆる場面で、文書作成日時・更新日時の管理や作業履歴・進捗の管理等、時刻を軸とした情報管理が以前にも増して盛んに行われるようになっている。また、最近では、ＰＣの時計はＮＴＰ（Network Time Protocol）、ビデオの時計はテレビの時報、携帯の時計は電波の中の時報を頼りに、各々の電子機器が統一された時刻を維持できるようになっている。
【００１０】
このように、ＰＣや電子機器の世界における時刻が統一された時間ベースで情報を管理可能となった状況下で、現実世界で起こり得る任意の事象に対しても、いつでも手軽に時刻を関連付けることができれば、情報の管理効率が飛躍的に向上することが期待される。具体的には、現実世界で起こったイベントの時刻を記録しておけば、人間の持つ連想記憶能力が働いて、その同時刻又はその前後に利用・更新された電子情報に容易にアクセスすることができると予想される。しかし、現状はこれを実現するようなツールは提供されていない。
【００１１】
本発明の目的は、簡単な操作でユーザが日常的に起こる任意の事象を手軽に時刻と関連付けることを支援することができる印刷装置を提供することである。
【課題を解決するための手段】
【００１２】
請求項１記載の発明は、携帯可能な印刷装置において、ユーザからの操作を受け付け、ユーザが印刷を指示するための操作部と、前記操作部に対するユーザの操作に応じて現在時刻を取得し、その現在時刻に基づいて印刷データを生成する印刷データ生成手段と、前記印刷データ生成手段により生成された前記印刷データに基づいて、現在時刻を示すタイムスタンプを被印刷媒体に印刷する印刷部と、を具備することを特徴とする。
【００１３】
したがって、被印刷媒体がラベル紙等である場合には、タイムスタンプがラベル紙に印刷され、このラベル紙を書籍やノート等の紙媒体に貼り付ける付箋として利用することが可能である。また、被印刷媒体が書籍やノート等である場合には、例えば講義中等にタイムスタンプが書籍やノート等の紙媒体に直接印刷される。このようにして、簡単な操作でユーザが日常的に起こる任意の事象を手軽に時刻と関連付けることを支援することが可能になる。
【００１４】
請求項２記載の発明は、請求項１記載の印刷装置において、前記被印刷媒体を収容する被印刷媒体収容部と、前記被印刷媒体収容部から前記印刷部に前記被印刷媒体を搬送して供給する被印刷媒体搬送部と、を具備することを特徴とする。
【００１５】
したがって、タイムスタンプが印刷された被印刷媒体を書籍やノート等の紙媒体に貼り付ける付箋として利用することが可能である。このようにして、簡単な操作でユーザが日常的に起こる任意の事象を手軽に時刻と関連付けることを支援することが可能になる。
【００１６】
請求項３記載の発明は、請求項１又は２記載の印刷装置において、画像を表示する表示部と、前記印刷データ生成手段により取得された現在時刻を前記表示部に表示させる時刻表示手段と、を具備する。
【００１７】
したがって、現在時刻を表示部に表示することによって、印刷前にユーザが現在時刻を確認することが可能になる。
【００１８】
請求項４記載の発明は、請求項１、２又は３記載の印刷装置において、前記印刷データ生成手段により取得される現在時刻を生成する時刻生成手段と、前記時刻生成手段に生成された現在時刻を修正する時刻修正手段と、を具備することを特徴とする。
【００１９】
したがって、現在時刻を修正することによって、正確な現在時刻を取得することが可能になる。
【００２０】
請求項５記載の発明は、請求項４記載の印刷装置において、前記時刻修正手段は、ユーザからの操作を受け付け、前記時刻生成手段により生成された現在時刻を修正するための修正操作部を有し、前記修正操作部に対する操作者の操作に応じて、前記時刻生成手段に生成された現在時刻を修正することを特徴とする。
【００２１】
したがって、ユーザが手軽に現在時刻を修正することよって、正確な現在時刻を取得することが可能になる。
【００２２】
請求項６記載の発明は、請求項４記載の印刷装置において、前記時刻修正手段は、通信により外部から現在時刻を取得し、取得した現在時刻に基づいて、前記時刻生成手段により生成された現在時刻を修正することを特徴とする。
【００２３】
したがって、自動的に現在時刻を修正することによって、ユーザに時刻を修正させることなく、正確な現在時刻を取得することが可能になる。
【００２４】
請求項７記載の発明は、請求項１又は２記載の印刷装置において、前記被印刷媒体に対する前記タイムスタンプの位置を設定する位置設定手段を具備し、前記印刷部は、前記位置設定手段により設定された前記タイムスタンプの位置に基づいて、前記タイムスタンプを前記被印刷媒体に印刷することを特徴とする。
【００２５】
したがって、被印刷媒体に対するタイムスタンプの位置を設定することによって、被印刷媒体に対して希望する位置にタイムスタンプを印刷することが可能になる。
【００２６】
請求項８記載の発明は、請求項７記載の印刷装置において、画像を表示する表示部と、前記位置設定手段により設定された前記タイムスタンプの位置を前記表示部に表示させる位置表示手段と、を具備することを特徴とする。
【００２７】
したがって、被印刷媒体に対するタイムスタンプの位置を表示部に表示することによって、印刷前にユーザがそのタイムスタンプの位置を確認することが可能になる。
【００２８】
請求項９記載の発明は、請求項１又は２記載の印刷装置において、同じ内容の前記タイムスタンプを印刷する回数を設定する回数設定手段を具備し、前記印刷部は、前記回数設定手段により設定された同じ内容の前記タイムスタンプを印刷する回数に基づいて、前記タイムスタンプを前記被印刷媒体に印刷することを特徴とする。
【００２９】
したがって、同じ内容のタイムスタンプを印刷する回数を設定することによって、同じ内容のタイムスタンプが印刷された被印刷媒体を複数枚得ることが可能になり、同じ内容のタイムスタンプで複数の事象を同一時刻の事象として関連付けることが可能になる。
【００３０】
請求項１０記載の発明は、請求項９記載の印刷装置において、画像を表示する表示部と、前記回数設定手段により設定された前記タイムスタンプを印刷する回数を前記表示部に表示させる回数表示手段と、を具備することを特徴とする。
【００３１】
したがって、同じ内容のタイムスタンプを印刷する回数を表示部に表示することによって、印刷前にユーザがそのタイムスタンプの印刷回数を確認することが可能になる。
【００３２】
請求項１１記載の発明は、請求項１又は２記載の印刷装置において、前記被印刷媒体が印刷される印刷位置に対する前記被印刷媒体の有無を検出する有無検出手段と、前記有無検出手段により検出された前記被印刷媒体の有無に応じて前記印字部の印刷動作を制限する印刷制限手段と、を具備することを特徴とする。
【００３３】
したがって、印刷位置に対する被印刷媒体の有無を検出することによって、不用意な印刷動作を防止することが可能になり、特に印刷部がインクジェットのようにインクを吐出させる場合等、印刷位置に被印刷媒体がない状態でインクが吐出することを防止することが可能になる。さらに、有無検出結果に基づく様々な処理が可能になる。
【００３４】
請求項１２記載の発明は、請求項１１記載の印刷装置において、画像を表示する表示部と、前記有無検出手段により検出された前記被印刷媒体の有無に応じて警告画像を前記表示部に表示させる警告表示手段と、を具備することを特徴とする。
【００３５】
したがって、印刷位置に対する被印刷媒体の有無に応じて警告画像を表示部に表示させることによって、ユーザに印刷位置に対する被印刷媒体の有無を報知することが可能になる。
【００３６】
請求項１３記載の発明は、請求項１ないし１２のいずれか一記載の印刷装置において、前記印刷データ生成手段は、通信により外部から現在時刻を取得することを特徴とする。
【００３７】
したがって、通信により外部から現在時刻を取得することによって、時刻を生成する手段を備える必要がなく、さらに、簡単に正確な現在時刻を取得することが可能になる。
【００３８】
請求項１４記載の発明は、請求項１ないし１３のいずれか一記載の印刷装置において、地球上での現在位置を取得する位置取得手段を具備し、前記印刷部は、前記位置取得手段により取得された前記現在位置を前記被印刷媒体に印刷することを特徴とする。
【００３９】
したがって、現在位置を被印刷媒体に印刷することよって、ユーザが日常的に起こる任意の事象と時刻とを手軽に関連付けた場所を把握することが可能になり、さらに、被印刷媒体を利用する範囲が広がる。
【００４０】
請求項１５記載の発明は、請求項１４記載の印刷装置において、前記印刷データ生成手段により取得された前記現在時刻及び前記位置取得手段により取得された前記現在位置から所定のパターン情報を生成するパターン生成手段を具備し、前記印刷部は、前記パターン生成手段により生成された所定のパターン情報に基づいて所定のパターンを前記被印刷媒体に印刷することを特徴とする。
【００４１】
したがって、所定のパターン、例えばバーコードを被印刷媒体に印刷することによって、バーコードスキャナ等を備えるパーソナルコンピュータ等によりバーコードから情報が読み込まれ、その情報に応じた様々な処理を実行することが可能になる。例えば、情報処理システムにより記録された動画データ等と任意の事象とを容易に関連付けることが可能になる。
【００４２】
請求項１６記載の発明は、請求項１ないし１４のいずれか一記載の印刷装置において、前記印刷データ生成手段により取得された前記現在時刻から所定のパターン情報を生成するパターン生成手段を具備し、前記印刷部は、前記パターン生成手段により生成された所定のパターン情報に基づいて所定のパターンを前記被印刷媒体に印刷することを特徴とする。
【００４３】
したがって、所定のパターン、例えばバーコードを被印刷媒体に印刷することによって、バーコードスキャナ等を備えるパーソナルコンピュータ等によりバーコードから情報が読み込まれ、その情報に応じた様々な処理を実行することが可能になる。例えば、情報処理システムにより記録された動画データ等と容易に関連付けることが可能になる。
【００４４】
請求項１７記載の発明は、請求項１ないし１６のいずれか一記載の印刷装置において、前記被印刷媒体は、接着剤からなる接着層を有していることを特徴とする。
【００４５】
したがって、被印刷媒体が接着層を有していることによって、この被印刷媒体を書籍やノート等の紙媒体に貼り付ける付箋として利用することが可能である。
【００４６】
請求項１８記載の発明は、請求項１ないし１７のいずれか一記載の印刷装置において、前記被印刷媒体は、ロール状に巻回されたロール紙であることを特徴とする。
【００４７】
したがって、被印刷媒体がロール紙であることによって、ロール紙の長さに応じて被印刷媒体の補給回数を抑えることが可能になり、さらに、シート紙に比べ装置を小型化することが可能になる。
【発明の効果】
【００４８】
請求項１記載の発明によれば、携帯可能な印刷装置において、被印刷媒体がラベル紙等である場合には、タイムスタンプがラベル紙に印刷され、このラベル紙を書籍やノート等の紙媒体に貼り付ける付箋として利用することが可能である。また、被印刷媒体が書籍やノート等である場合には、例えば講義中等にタイムスタンプが書籍やノート等の紙媒体に直接印刷される。このようにして、簡単な操作でユーザが日常的に起こる任意の事象を手軽に時刻と関連付けることを支援することができる。
【００４９】
請求項２記載の発明によれば、請求項１記載の印刷装置において、タイムスタンプが印刷された被印刷媒体を書籍やノート等の紙媒体に貼り付ける付箋として利用することが可能である。このようにして、簡単な操作でユーザが日常的に起こる任意の事象を手軽に時刻と関連付けることを支援することができる。
【００５０】
請求項３記載の発明によれば、請求項１又は２記載の印刷装置において、現在時刻を表示部に表示することによって、印刷前にユーザが現在時刻を確認することができる。
【００５１】
請求項４記載の発明によれば、請求項１、２又は３記載の印刷装置において、現在時刻を修正することによって、正確な現在時刻を取得することができる。
【００５２】
請求項５記載の発明によれば、請求項４記載の印刷装置において、ユーザが手軽に現在時刻を修正することよって、正確な現在時刻を取得することができる。
【００５３】
請求項６記載の発明によれば、請求項４記載の印刷装置において、自動的に現在時刻を修正することによって、ユーザに時刻を修正させることなく、正確な現在時刻を取得することができる。
【００５４】
請求項７記載の発明によれば、請求項１又は２記載の印刷装置において、被印刷媒体に対するタイムスタンプの位置を設定することによって、被印刷媒体に対して希望する位置にタイムスタンプを印刷することができる。
【００５５】
請求項８記載の発明によれば、請求項７記載の印刷装置において、被印刷媒体に対するタイムスタンプの位置を表示部に表示することによって、印刷前にユーザがそのタイムスタンプの位置を確認することができる。
【００５６】
請求項９記載の発明によれば、請求項１又は２記載の印刷装置において、同じ内容のタイムスタンプを印刷する回数を設定することによって、同じ内容のタイムスタンプが印刷された被印刷媒体を複数枚得ることが可能になり、同じ内容のタイムスタンプで複数の事象を同一時刻の事象として関連付けることができる。
【００５７】
請求項１０記載の発明によれば、請求項９記載の印刷装置において、同じ内容のタイムスタンプを印刷する回数を表示部に表示することによって、ユーザがそのタイムスタンプの印刷回数を確認することができる。
【００５８】
請求項１１記載の発明によれば、請求項１又は２記載の印刷装置において、印刷位置に対する被印刷媒体の有無を検出することによって、不用意な印刷動作を防止することができ、特に印刷部がインクジェットのようにインクを吐出させる場合等、印刷位置に被印刷媒体がない状態でインクが吐出することを防止することができる。さらに、有無検出結果に基づく様々な処理ができるようになる。
【００５９】
請求項１２記載の発明によれば、請求項１１記載の印刷装置において、印刷位置に対する被印刷媒体の有無に応じて警告画像を表示部に表示させることによって、ユーザに印刷位置に対する被印刷媒体の有無を報知することができる。
【００６０】
請求項１３記載の発明によれば、請求項１ないし１２のいずれか一記載の印刷装置において、通信により外部から現在時刻を取得することによって、時刻を生成する手段を備える必要がなく、さらに、簡単に正確な現在時刻を取得することができる。
【００６１】
請求項１４記載の発明によれば、請求項１ないし１３のいずれか一記載の印刷装置において、地球上での現在位置を被印刷媒体に印刷することよって、ユーザが日常的に起こる任意の事象と時刻とを手軽に関連付けた場所を把握することができ、さらに、被印刷媒体を利用する範囲が広がる。
【００６２】
請求項１５記載の発明によれば、請求項１４記載の印刷装置において、所定のパターン、例えばバーコードを被印刷媒体に印刷することによって、バーコードスキャナ等を備えるパーソナルコンピュータ等によりバーコードから情報が読み込まれ、その情報に応じた様々な処理を実行することができる。例えば、情報処理システムにより記録された動画データ等と任意の事象とを容易に関連付けることができる。
【００６３】
請求項１６記載の発明によれば、請求項１ないし１４のいずれか一記載の印刷装置において、所定のパターン、例えばバーコードを被印刷媒体に印刷することによって、バーコードスキャナ等を備えるパーソナルコンピュータ等によりバーコードから情報が読み込まれ、その情報に応じた様々な処理を実行することができる。例えば、情報処理システムにより記録された動画データ等と容易に関連付けることができる。
【００６４】
請求項１７記載の発明によれば、請求項１ないし１６のいずれか一記載の印刷装置において、被印刷媒体が接着層を有していることによって、この被印刷媒体を書籍やノート等の紙媒体に貼り付ける付箋として利用することができる。
【００６５】
請求項１８記載の発明によれば、請求項１ないし１７のいずれか一記載の印刷装置において、被印刷媒体がロール紙であることによって、ロール紙の長さに応じて被印刷媒体の補給回数を抑えることができ、さらに、シート紙に比べ装置を小型化することができる。
【発明を実施するための最良の形態】
【００６６】
本発明の第一の実施の形態について図１ないし図１３を参照して説明する。本実施の形態の印刷装置は、ＰＣやＰＤＡ等の周辺機器としてではなく、単体でタイムスタンプを手軽に印刷するための携帯型印刷装置の一例である。特に、本実施の形態の印刷装置は、印刷ボタンを押下するだけで、装置本体にセットされたラベル紙に現在時刻を示すタイムスタンプを印刷することを可能とする印刷装置の一例である。
【００６７】
図１は本実施の形態の印刷装置の外部構成を概略的に示す正面図である。図１に示すように、印刷装置１の正面には、現在時刻を示すタイムスタンプＴを被印刷媒体であるラベル紙Ｌ１に印刷するよう指示するための印刷ボタン２、現在の日付及び電池残量等のグラフィックを表示する表示部であるＬＣＤ（Liquid Crystal Display）３、電源のＯＮ／ＯＦＦを切り替えるための電源ボタン４、現在時刻を調節するための画面を表示するための時刻調節ボタン５、ＬＣＤ３に表示されたグラフィックに示された項目を選択するための選択ボタン６等が設けられている。
【００６８】
印刷装置１の側面には、印刷されたラベル紙Ｌ１をラベルＬ２として排出するためのラベル排紙口７が設けられている。選択ボタン６は、上選択ボタン６ａ、下選択ボタン６ｂ、左選択ボタン６ｃ及び右選択ボタン６ｄから構成されている。なお、印刷ボタン２、電源ボタン４、時刻調節ボタン５及び選択ボタン６は、それぞれ、ユーザからの操作を受け付ける操作部として機能する。特に、時刻調節ボタン５及び選択ボタン６は修正操作部として機能する。
【００６９】
図２は本実施の形態の印刷装置１の内部構造を概略的に示す横断側面図である。図２に示すように、印刷装置１の内部には、ロール状に巻回されたラベル紙Ｌ１を収容するホルダ８及びラベル紙Ｌ１に印刷を行う印刷部９が設けられている。また、ラベル排紙口７には、ラベル紙Ｌ１をラベルＬ２として切断するカッタ１０が設けられている。さらに、印刷装置１の内部には、充電池を格納するための電池ソケットや駆動源であるＡＣ電源に接続するためのＡＣアダプタ接続用ジャック（いずれも図示せず）等も設けられている。ここで、ラベル紙Ｌ１は、感熱紙が接着層を介して剥離紙に積層されて構成されている。なお、接着層は、例えば繰り返し貼り付けを可能にする接着剤により形成されている。
【００７０】
ホルダ８は、その支持軸１１にラベル紙Ｌ１の紙管１２が回転自在に挿入されることでラベル紙Ｌ１を保持する。印刷部９は、サーマルヘッド１３、プラテンローラ１４、ステップモータ１５及びこのステップモータ１５の駆動をプラテンローラ１４に伝達する駆動伝達機構１６等により構成されている。ここで、プラテンローラ１４やステップモータ１５等が被印刷媒体搬送部として機能する。
【００７１】
サーマルヘッド１３は、複数の発熱体（図示せず）を有しており、それらの発熱体がラベル紙Ｌ１の搬送方向に対して直交する方向に配列され構成されている。このようなサーマルヘッド１３は、ヘッド支持部１７に支持され、ヘッド支持部１７には操作レバー１８が連設されている。操作レバー１８は支持フレーム１９に軸支されており、支持フレーム１９とヘッド支持部１７との間には、サーマルヘッド１３を常にプラテンローラ１４に加圧する加圧バネ２０が設けられている。なお、ラベル紙Ｌ１の交換時には、操作レバー１８の操作によりサーマルヘッド１３がプラテンローラ１４から離反し、サーマルヘッド１３とプラテンローラ１４との間に、ホルダ８から引き出されたラベル紙Ｌ１がセットされる。
【００７２】
図３は本実施の形態の印刷装置１が備える各部の電気的接続を示すブロック図である。図３に示すように、印刷装置１は、全体の制御を行うシステム制御部３０、各種のボタン２，４，５，６に接続され各ボタン２，４，５，６の押下を検出するためのハードキーインターフェース部３１、ＬＣＤ３に画像を表示させるための信号処理を行ってユーザーインターフェースのための各種の画像を生成しその画像をＬＣＤ３に表示させるＬＣＤ表示制御部３２等を内蔵している。
【００７３】
システム制御部３０は、各部を集中的に制御するＣＰＵ（Central Processing Unit）やメモリ（いずれも図示せず）等から構成されており、ＬＣＤ表示制御部３２は、Ｄ／Ａ変換器やオンスクリーンディスプレイコントローラ（いずれも図示せず）等から構成されている。なお、メモリは、ＣＰＵが実行する各種プログラム等を格納するＲＯＭ（Read Only Memory）やＣＰＵのワークエリアとして機能するＲＡＭ（Random Access Memory）等から構成されている。
【００７４】
システム制御部３０には、モータ駆動回路等の駆動回路（図示せず）を介して印刷部９がバスライン３３により接続されている。なお、印刷部９は、ラベル紙Ｌ１のホルダ８へのセットを検知する検知部（図示せず）を備えている。また、システム制御部３０には、時刻を生成するためのクロック３４がバスライン３３により接続されており、さらに、電源駆動回路や充電回路等から構成され電力を供給する電源部（図示せず）がバスライン３３により接続されている。ここで、クロック３４は時刻を生成する時刻生成手段として機能する。
【００７５】
このような構成において、システム制御部３０によりプログラムに基づいて実行される印刷装置１の動作について図４ないし図１３を参照して説明する。図４は本実施の形態の印刷装置１の動作を説明するための状態遷移図、図５は電源ＯＦＦ状態におけるＬＣＤ３の表示例を示す説明図、図６は正常状態におけるＬＣＤ３の表示例を示す説明図である。システム制御部３０は、ＲＯＭに格納されているプログラムに基づいて、主に、ＬＣＤ表示制御部３２によるＬＣＤ３への表示や印刷部９による印刷動作等を制御する。ここで、印刷装置１の動作をその状態毎に説明する。
【００７６】
＜電源ＯＦＦ状態Ｊ１＞
電源ＯＦＦ状態Ｊ１は、ラベル紙Ｌ１の印刷を実行することができない状態を指す。このとき、印刷装置１は単に時計として動作しており、ＬＣＤ表示制御部３２は、図５に示すように、現在の日時ＡをＬＣＤ３に表示させる。また、システム制御部３０は、ハードキーインターフェース部３１が取得したユーザのボタン押下に対して、以下の動作を行う。
【００７７】
（１）電源ボタン４押下
システム制御部３０は各部への通電を開始する。ここで、印刷部９がホルダ８にラベル紙Ｌ１がセットされていることを検知した場合には「正常状態Ｊ２」に、検知しなかった場合には「警告状態Ｊ３」に印刷装置１の動作状態を移行させる。
【００７８】
＜正常状態Ｊ２＞
正常状態Ｊ２はユーザからの印刷指示に待機している状態を指す。このとき、ＬＣＤ表示制御部３２は、図６に示すように、現在の日時Ａ、ラベルステータス表示Ｂ、電池残量表示Ｃ及び枚数表示ＤをＬＣＤ３に表示させる。ここに、時刻表示手段及び回数表示手段としての機能が実現される。図６中のラベルステータス表示Ｂは、ホルダ８にラベル紙Ｌ１がセットされていることを示している。ここで、ラベルステータス表示Ｂ中にある位置表示Ｅは、ラベル紙Ｌ１上に印刷されるタイムスタンプＴの位置（左揃え、中央揃え、右揃え）を表し、図６中ではタイムスタンプＴがラベルＬ２に対して左揃えで印刷されることを示している。また、その右側の電池残量表示Ｃは、電池ソケットに格納された電池の残量を黒色のバーで示すものであり、残量が減るに従ってバーの左端が右側に進行する。ここで、システム制御部３０は、ハードキーインターフェース部３１が取得したユーザのボタン押下に対して、以下の動作を行う。
【００７９】
（１）電源ボタン４押下
印刷装置１の動作状態を「電源ＯＦＦ状態Ｊ１」に移行させ、時計動作に係る部分以外への通電を停止する。
【００８０】
（２）印刷ボタン２押下
印刷装置１の動作状態を「印刷状態Ｊ４」に移行させ、現在時刻のタイムスタンプＴをラベル紙Ｌ１に印刷する動作を開始する。
【００８１】
（３）時刻調節ボタン５押下
印刷装置１の動作状態を「時刻調節状態Ｊ５」に移行させ、ユーザに現在時刻を調節させるための画面を表示するようＬＣＤ表示制御部３２に指示する。
【００８２】
（４）左右選択ボタン６ｃ，６ｄ押下
ラベル紙Ｌ１上に印刷されるタイムスタンプＴの位置を変更すると共に、ＬＣＤ３上の位置表示Ｅを変更するようＬＣＤ表示制御部３２に指示する。ここに、位置設定手段としての機能が実現されている。ここで、図７はユーザが左右の選択ボタン６ｃ，６ｄを押下したときのラベルステータス表示Ｂの変化を示す説明図である。図７に示すように、ユーザが右選択ボタン６ｄを押す度に、「左揃え」→「中央揃え」→「右揃え」→「左揃え」→・・・と、同様に左選択ボタン６ｃを押す度に、「右揃え」→「中央揃え」→「左揃え」→「右揃え」→・・・と、位置表示Ｅが変化する。このような機能により、ラベルＬ２を貼り付ける位置が用紙の右側又は左側であるかによって、ラベルＬ２に対するタイムスタンプＴの位置を変更することができ、好適である。
【００８３】
（５）上下選択ボタン６ａ，６ｂ押下
一度に印刷するラベルＬ２の枚数を変更する。すなわち、同じタイムスタンプＴをラベル紙Ｌ１に印刷する回数を変更する。例えば、図６に示すように、現在の印刷枚数が１枚のとき、ユーザが上選択ボタン６ａを押下すると、システム制御部３０は印刷枚数を１つ増やして２枚に設定し、ＬＣＤ表示制御部３２にＬＣＤ３上の枚数表示Ｄを１つ増加させるよう指示する。この指示に従い、ＬＣＤ表示制御部３２は、ＬＣＤ３上の枚数表示Ｄを「１」から「２」に変更する。ユーザが上選択ボタン６ａを押す度に同様の動作を繰り返し、印刷枚数の上限値（ここでは９枚とする）に達すると、以降、上選択ボタン６ａが押下されても印刷枚数及び枚数表示Ｄを変更しない。同様に、ユーザが下選択ボタン６ｂを押下すると、システム制御部３０は印刷枚数を１つ減らし、ＬＣＤ表示制御部３２にＬＣＤ３上の枚数表示Ｄを１つ減少させるよう指示する。ユーザが下選択ボタン６ｂを押す度に同様の動作を繰り返し、印刷枚数の下限値（１枚）に達すると、以降下選択ボタン６ｂが押下されても印刷枚数及び枚数表示Ｄを変更しない。ここに、回数設定手段及び回数表示手段としての機能が実現される。したがって、同一のタイムスタンプＴが印刷されたラベルＬ２が複数枚必要な場合、印刷ボタン２を複数回押すと、各々のラベルＬ２が示す時刻が異なってしまうが、印刷枚数を設定可能とすることにより時間のずれを防止することができる。
【００８４】
（６）ラベル紙Ｌ１取り出し
印刷部９は、ユーザがホルダ８よりラベル紙Ｌ１を取り出したのを検知すると、その旨をシステム制御部３０に送信する。ここに、有無検知手段としての機能が実現される。これを受けて、システム制御部３０は印刷装置１の動作状態を「警告状態Ｊ３」に移行させる。ここに、印刷制限手段としての機能が実現される。
【００８５】
＜印刷状態Ｊ４＞
印刷状態Ｊ４はユーザがタイムスタンプＴの印刷を指示してからラベル紙Ｌ１への印刷が終了するまでの状態を指す。このときのシステム制御部３０の動作の詳細を以下に述べる。
【００８６】
（１）画面表示変更
ＬＣＤ３に図８に示すような画面を表示するようＬＣＤ表示制御部３２に指示し、ユーザに印刷動作中であることを通知する。ここで、図８は印刷状態Ｊ４におけるＬＣＤ３の表示例を示す説明図である。
【００８７】
（２）現在時刻取得
現在の日時をクロック３４より取得する。
【００８８】
（３）ラスタデータ生成
得られた現在時刻をラスタライズし、印刷データであるラスタデータを生成する。ここに、印刷データ生成手段としての機能が実現される。例えば、現在の日時が「2003年2月26日 17時52分27秒」の場合、「2003/02/26 17:52:27」という文字列を生成し、更にこの文字列からラスタデータを生成する。
【００８９】
（４）印刷開始
（３）で生成されたラスタデータを印刷部９に送る。印刷部９は、受け取ったラスタデータに基づいて、現在時刻を示すタイムスタンプＴをラベル紙Ｌ１に印刷する（図９（ａ）及び図９（ｂ）参照）。ここで、図９はタイムスタンプＴが印刷されたラベルＬ２の一例を示し、（ａ）はタイムスタンプＴが左揃えで印刷されたラベルＬ２を示す説明図、（ｂ）はタイムスタンプＴが右揃えで印刷されたラベルＬ２を示す説明図である。図９（ａ）及び図９（ｂ）に示すようなラベルＬ２の空白部の裏側には、繰り返し剥がせる接着剤が塗布されている。なお、印刷装置１は、左揃えの場合には接着剤が塗布された位置が右側に、また、右揃えの場合には接着剤が塗布された位置が左側になるようにラベル紙Ｌ１を印刷する。これにより、例えば講演中等に紙の資料が配布されている場合や自らが持参したノートに書き込みを行っている場合等に、タイムスタンプＴが印刷されたラベルＬ２をそれらの紙媒体に貼り付けることによって、時刻付きのしおりとして利用することができ、好適である。
【００９０】
（５）印刷終了
ラベルＬ２がラベル排紙口７より排出されると、印刷部９はシステム制御部３０に対し、印刷動作が終了したことを示す信号を送信する。これを受けてシステム制御部３０は、直ちに印刷装置１の動作状態を「正常状態Ｊ２」に移行させる。なお、印刷状態Ｊ４にある場合、ハードキーインターフェース部３１がユーザからのボタン押下を検知しても、システム制御部３０はそれを無視する。
【００９１】
＜警告状態Ｊ３＞
警告状態Ｊ３は、ホルダ８にラベル紙Ｌ１がセットされていないため印刷不可能である旨をユーザに警告する状態を指す。このとき、ＬＣＤ表示制御部３２は、図１０に示すように、現在の日時Ａ、ラベルステータス表示Ｂ及び電池残量表示ＣをＬＣＤ３に表示させる。ここに、警告表示手段としての機能が実現される。ここで、図１０は警告状態Ｊ３におけるＬＣＤ３の表示例を示す説明図である。図１０中のラベルステータス表示Ｂは、ラベル紙Ｌ１がセットされていないことを示しており、警告画像として機能する。また、システム制御部３０は、ハードキーインターフェース部３１が取得したユーザのボタン押下に対して、以下の動作を行う。
【００９２】
（１）電源ボタン４押下
印刷装置１の動作状態を「電源ＯＦＦ状態Ｊ１」に移行させ、時計動作に係る部分以外への通電を停止する。
【００９３】
（２）印刷ボタン２押下
図１１に示すようなユーザへの警告画像である警告メッセージをＬＣＤ３に一定時間（ここでは２秒間とする）表示するようＬＣＤ表示制御部３２に指示する。ここに、警告表示手段としての機能が実現される。このとき、状態遷移は起こらない。ここで、図１１は警告状態Ｊ３におけるＬＣＤ３の表示例を示す説明図である。
【００９４】
（３）時刻調節ボタン５押下
印刷装置１の動作状態を「時刻調節状態Ｊ５」に移行させ、ユーザに現在時刻を調節させるための画面を表示するようＬＣＤ表示制御部３２に指示する。
【００９５】
（４）ラベル紙Ｌ１セット
印刷部９は、ユーザがホルダ８にラベル紙Ｌ１をセットしたのを検知すると、その旨をシステム制御部３０に送信する。これを受けて、システム制御部３０は印刷装置１の動作状態を「正常状態Ｊ２」に移行させる。
【００９６】
＜時刻調節状態Ｊ５＞
時刻調節状態Ｊ５は、ユーザにより印刷装置１のクロック３４が指し示す現在時刻が調節中である状態を指す。このとき、ＬＣＤ表示制御部３２は、ＬＣＤ３に図１２に示すような画面を表示させる。ここで、図１２は時刻調節状態におけるＬＣＤ３の表示例を示す説明図である。また、システム制御部３０は、ハードキーインターフェース部３１が取得したユーザのボタン押下に対して、以下の動作を行う。
【００９７】
（１）電源ボタン４押下
印刷装置１の動作状態を「電源ＯＦＦ状態Ｊ１」に移行させ、時計動作に係る部分以外への通電を停止する。
【００９８】
（２）左右選択ボタン６ｃ，６ｄ押下
右選択ボタン６ｄが押されると、ＬＣＤ表示制御部３２に、図１２に示すような反転表示部分Ｆを「年」→「月」→「日」→「時」→「分」→「秒」→「年」→・・・という順に変更するよう指示する。また、左選択ボタン６ｃが押された場合は、これと逆順に表示を変更するよう指示する。
【００９９】
（３）上下選択ボタン６ａ，６ｂ押下
上選択ボタン６ａが押されると、ＬＣＤ表示制御部３２に、図１２中で反転表示されている数値を１つ増加させるよう指示する。また、下選択ボタン６ｂが押された場合には、反転表示されている数値を１つ減少させるよう指示する。
【０１００】
（４）時刻調節ボタン５押下
クロック３４の現在時刻を、時刻調節ボタン５が押された時に画面に表示されていた時刻に設定する。その直後、ホルダ８にラベル紙Ｌ１がセットされている場合には「正常状態Ｊ２」に印刷装置１の動作状態を移行させ、ホルダ８にラベル紙Ｌ１がセットされていない場合には「警告状態Ｊ３」に印刷装置１の動作状態を移行させる。（２）から（４）で時刻修正手段としての機能が実現される。
【０１０１】
このようにしてタイムスタンプＴが印刷されたラベルＬ２は、例えば、図１３に示すように、書籍や教材等に貼り付ける付箋として利用することができる。ここで、図１３はタイムスタンプＴが印刷されたラベルＬ２の使用例を示す模式図である。これにより、再度読み直したいような重要な箇所を手軽にマーキングでき、さらに、タイムスタンプＴがラベルＬ２に印刷されているので、前回付箋を付けた箇所からの時間差に基づき、読書又は勉強の進捗を容易に把握することができる。また、教育の現場においては、例えば、付箋が付けられた教材と同時に使用されたプレゼンテーション用のスライドがインターネット上で公開されている場合等に、付箋のタイムスタンプＴとスライドの使用日時とを照合することにより、関連するスライドを特定することができるという利点がある。したがって、簡単な操作でユーザが日常的に起こる任意の事象を手軽に時刻と関連付けることを支援することができる。
【０１０２】
本発明の第二の実施の形態について図１４ないし図１９を参照して説明する。本実施の形態の印刷装置は、ＰＣやＰＤＡ等の周辺機器としてではなく、単体でタイムスタンプを手軽に印刷するための携帯型印刷装置の一例である。特に、本実施の形態の印刷装置は、印刷ボタンを押下するだけで、ユーザが持参した被印刷媒体（セミナー等で配布された紙の資料やノート等）に、直接タイムスタンプを印刷することを可能とする印刷装置の一例である。
【０１０３】
図１４は本実施の形態の印刷装置の外部構成を概略的に示し、（ａ）は正面図、（ｂ）は底面図である。なお、第一の実施の形態と同一部分は同一符号で示し、説明も省略する。図１４に示すように、印刷装置１Ａの正面には、現在時刻を示すタイムスタンプＴを被印字媒体に印刷するよう指示するための印刷ボタン２、現在の日付及び電池残量等のグラフィックを表示する表示部であるＬＣＤ３、電源のＯＮ／ＯＦＦを切り替えるための電源ボタン４、現在時刻を調節するための画面を表示するための時刻調節ボタン５、ＬＣＤ３に表示されたグラフィックに示された項目を選択するための選択ボタン６、一旦出した印刷指示を取り消すためのキャンセルボタン４０等が設けられている。選択ボタン６は、上選択ボタン６ａ、下選択ボタン６ｂ、左選択ボタン６ｃ及び右選択ボタン６ｄから構成されている。なお、印刷ボタン２、電源ボタン４、時刻調節ボタン５及び選択ボタン６は、それぞれ、ユーザからの操作を受け付ける操作部として機能する。特に、時刻調節ボタン５及び選択ボタン６は修正操作部として機能する。
【０１０４】
印刷装置１Ａの底面には、被印刷媒体にタイムスタンプＴを印刷する印刷ヘッド４１を露出させる開口部４２が設けられており、この開口部４２の周囲には、被印刷媒体が印刷される印刷位置に対する被印刷媒体の有無を検知するための感圧型の感圧スイッチ４３が設けられている。なお、本実施の形態では、感圧スイッチ４３は６個設けられているが、その設置個数は６個に限るものではなく、例えば４個でも良い。
【０１０５】
本実施の形態の印刷装置１Ａが備える各部の電気的接続は、基本的に第一の実施の形態と同様であり（図３参照）、その相違点について図１５を参照して説明する。ここで、図１５は本実施の形態の印刷装置１Ａの内部構成を概略的に示すブロック図である。図１５に示すように、印刷ヘッド４１を備える印刷部９Ａは、黒色の液体インクが充填されたインクタンク４４、インクタンク４４を収容するインクホルダ４５、システム制御部３０より印刷指示及び印刷するラスタデータを受け取るとそれに基づいて印刷ヘッド４１へのインク供給量を制御するインク供給部４６、スライド自在に支持された印刷ヘッド４１を所定方向（ここでは左右方向）にスライド駆動する駆動機構４７等を備えている。
【０１０６】
このような印刷部９Ａは、システム制御部３０に接続されており、駆動制御される（図３参照）。なお、印刷部９Ａは、インクホルダ４５へのインクタンク４４のセット及びインクタンク４４のインク量を検知する検知部（図示せず）を備えている。また、システム制御部３０には、バスライン４８を介して感圧スイッチ４３が接続されており、さらに、電源駆動回路や充電回路等から構成され電力を供給する電源部（図示せず）がバスライン３３により接続されている。ここで、印刷ヘッド４１としては、例えば、インクを塗布するためのノズル（図示せず）が３００ｄｐｉ、すなわち８４．７μｍ間隔で計９６個ライン状に配設されたヘッドが用いられている。なお、印刷ヘッド４１のノズルは、印刷ヘッド４１のスライド方向に対して直交する方向に配列されている。
【０１０７】
このような構成において、システム制御部３０によりプログラムに基づいて実行される印刷装置１Ａの動作について図１６ないし図２０を参照して説明する。図１６は本実施の形態の印刷装置１Ａの動作を説明するための状態遷移図、図１７は正常状態におけるＬＣＤ３の表示例を示す説明図、図１８は警告状態におけるＬＣＤ３の表示例を示す説明図である。システム制御部３０は、ＲＯＭに格納されているプログラムに基づいて、主に、ＬＣＤ表示制御部３２によるＬＣＤ３への表示や印刷部９による印刷動作等を制御する。ここで、印刷装置１の動作をその状態毎に説明する。
【０１０８】
＜電源ＯＦＦ状態Ｋ１＞
電源ＯＦＦ状態Ｋ１は、被印刷媒体に対する印刷を実行することができない状態を指す。第一の実施の形態と同様に、印刷装置１Ａは単に時計として動作しており、ＬＣＤ表示制御部３２は、図５に示すように、現在の日時ＡをＬＣＤ３に表示させる。また、システム制御部３０は、ハードキーインターフェース部３１が取得したユーザのボタン押下に対して、以下の動作を行う。
【０１０９】
（１）電源ボタン４押下
システム制御部３０は各部への通電を開始する。ここで、印刷部９Ａがインクホルダ４５にインクタンク４４がセットされていることを検知した場合には「正常状態Ｋ２」に、検知しなかった場合には「警告状態Ｋ３」に印刷装置１Ａの動作状態を移行させる。
【０１１０】
＜正常状態Ｋ２＞
正常状態Ｋ２はユーザからの印刷指示に待機している状態を指す。このとき、ＬＣＤ表示制御部３２は、図１７に示すように、現在の日時Ａ、インクステータス表示Ｇ及び電池残量表示ＣをＬＣＤ３に表示させる。ここに、時刻表示手段としての機能が実現される。図１７中のインクステータス表示Ｇは、インクタンク４４がインクホルダ４５にセットされており、インクの残量が残り半分程度であることを示している。また、その右側の電池残量表示Ｃは、電池ソケットに格納された電池の残量を黒色のバーで示すものであり、残量が減るに従ってバーの左端が右側に進行する。ここで、システム制御部３０は、ハードキーインターフェース部３１が取得したユーザのボタン押下に対して、以下の動作を行う。
【０１１１】
（１）電源ボタン４押下
印刷装置１Ａの動作状態を「電源ＯＦＦ状態Ｋ１」に移行させ、時計動作に係る部分以外への通電を停止する。
【０１１２】
（２）印刷ボタン２押下
印刷装置１Ａの動作状態を「印刷待機状態Ｋ４」に移行させる。
【０１１３】
（３）時刻調節ボタン５押下
印刷装置１Ａの動作状態を「時刻調節状態Ｋ５」に移行させ、ユーザに現在時刻を調節させるための画面を表示するようＬＣＤ表示制御部３２に指示する。
【０１１４】
（４）インクタンク４４取り出し又はインク切れ
印刷部９Ａは、ユーザがインクホルダ４５からインクタンク４４を取り出した、又はインクタンク４４のインクが切れたことを検知すると、その旨をシステム制御部３０に送信する。これを受けて、システム制御部３０は印刷装置１Ａの動作状態を「警告状態Ｋ３」に移行させる。
【０１１５】
＜印刷待機状態Ｋ４＞
印刷待機状態Ｋ４は、ユーザがタイムスタンプＴの印刷を指示してから、印刷対象となる被印刷媒体にインクを塗布できるようになるまでの状態を指す。ここに、印刷制限手段としての機能が実現される。このときのシステム制御部３０の動作の詳細を、以下に述べる。
【０１１６】
（１）現在時刻取得
現在の日時をクロック３４より取得する。
【０１１７】
（２）ラスタデータ生成
得られた現在時刻をラスタライズし、印刷データであるラスタデータを生成する。ここに、印刷データ生成手段としての機能が実現される。例えば、現在の日時が「2003年2月26日 17時52分27秒」の場合、「2003/02/26 17:52:27」という文字列を生成し、更にこの文字列からラスタデータを生成する。
【０１１８】
（３）画面表示変更
ＬＣＤに図１８に示すような警告画面を表示すると共に、バックライトの輝度を上げるようＬＣＤ表示制御部３２に指示する。ここに、警告表示手段としての機能が実現される。これにより、ユーザに印刷の準備が整ったことを通知する。
【０１１９】
（４）ユーザ操作待ちループ
以下のユーザ操作を検出するまで、システム制御部３０は（１）から（３）のステップを繰り返す。
（ａ）電源ボタン４押下
印刷装置１Ａの動作状態を「電源ＯＦＦ状態Ｋ１」に移行させ、時計動作に係る部分以外への通電を停止する。
（ｂ）感圧スイッチ４３ＯＮ検知
ユーザが印刷装置１Ａを紙等の被印刷媒体に押し当てることにより、装置底面部に配設された６つの感圧スイッチ４３が全てＯＮになるのを検知すると、「印刷状態Ｋ６」に印刷装置１Ａの動作状態を移行させる。ここに、有無検知手段としての機能が実現される。
（ｃ）キャンセルボタン４０押下
印刷動作を中止し、「正常状態Ｋ２」に印刷装置１Ａの動作状態を移行させる。
【０１２０】
＜印刷状態Ｋ６＞
印刷状態Ｋ６は、印刷対象となる被印刷媒体にインクを塗布し始めてから終了するまでの状態を指す。このときのシステム制御部３０の動作を、以下に述べる。
【０１２１】
（１）印刷開始
前述したように生成されたラスタデータを印刷部９Ａに送る。印刷部９Ａは、受け取ったラスタデータに基づいて、現在時刻を示すタイムスタンプＴをユーザが用意した被印刷媒体に印刷ヘッド４１により印刷する。
【０１２２】
（２）印刷終了
タイムスタンプＴの印刷が終了すると、印刷部９Ａはシステム制御部３０に対し、印刷動作が終了したことを示す信号を送信する。これを受けてシステム制御部３０は、直ちに印刷装置１Ａの動作状態を「正常状態Ｋ２」に移行させる。なお、印刷状態Ｋ６にある場合、ハードキーインターフェース部３１がユーザからのボタン押下を検知しても、システム制御部３０はそれを無視する。
【０１２３】
＜警告状態Ｋ３＞
警告状態Ｋ３は、インクタンク４４がインクホルダ４５にセットされていない又はインクタンク４４のインクが切れているため印刷不可能である旨をユーザに警告する状態を指す。このとき、ＬＣＤ表示制御部３２は、図１９に示すように、現在の日時Ａ、インクステータス表示Ｇ及び電池残量表示ＣをＬＣＤ３に表示させる。ここで、図１９は警告状態Ｋ３におけるＬＣＤ３の表示例を示す説明図である。図１９中のインクステータス表示Ｇは、インクタンク４４がインクホルダ４５にセットされていないことを示しており、警告画像として機能する。また、システム制御部３０は、ハードキーインターフェース部３１が取得したユーザのボタン押下に対して、以下の動作を行う。
【０１２４】
（１）電源ボタン４押下
印刷装置１の動作状態を「電源ＯＦＦ状態Ｋ１」に移行させ、時計動作に係る部分以外への通電を停止する。
【０１２５】
（２）印刷ボタン２押下
ＬＣＤ表示制御部３２に、図２０に示すように、ＬＣＤ３にユーザへの警告画像である警告メッセージを一定時間（ここでは２秒間とする）表示するよう指示する。このとき、状態遷移は起こらない。ここで、図２０は警告状態Ｋ３におけるＬＣＤ３の表示例を示す説明図である。
【０１２６】
（３）時刻調節ボタン５押下
印刷装置１Ａの動作状態を「時刻調節状態Ｋ５」に移行させ、ユーザに現在時刻を調節させるための画面を表示するようＬＣＤ表示制御部３２に指示する。
【０１２７】
（４）インクタンク４４セット
印刷部９Ａは、ユーザがインクタンク４４をインクホルダ４５にセットしたのを検知すると、その旨をシステム制御部３０に送信する。これを受けて、システム制御部３０は印刷装置１Ａの動作状態を「正常状態Ｋ２」に移行させる。
【０１２８】
＜時刻調節状態Ｋ５＞
時刻調節状態Ｋ５は、ユーザにより印刷装置１Ａのクロック３４が指し示す現在時刻が調節中である状態を指す。このとき、ＬＣＤ表示制御部３２は、第一の実施の形態と同様に、ＬＣＤ３に図１２に示すような画面を表示させる。また、システム制御部３０は、ハードキーインターフェース部３１が取得したユーザのボタン押下に対して、以下の動作を行う。
【０１２９】
（１）電源ボタン４押下
印刷装置１Ａの動作状態を「電源ＯＦＦ状態Ｋ１」に移行させ、時計動作に係る部分以外への通電を停止する。
【０１３０】
（２）左右選択ボタン６ｃ，６ｄ押下
右選択ボタン６ｄが押されると、ＬＣＤ表示制御部３２に、図１２に示すような反転表示部分Ｆを「年」→「月」→「日」→「時」→「分」→「秒」→「年」→・・・という順に変更するよう指示する。また、左選択ボタン６ｃが押された場合は、これと逆順に表示を変更するよう指示する。
【０１３１】
（３）上下選択ボタン６ａ,６ｂ押下
上選択ボタン６ａが押されると、ＬＣＤ表示制御部３２に、図１２中で反転表示されている数値を１つ増加させるよう指示する。また、下選択ボタン６ｂが押された場合には、反転表示されている数値を１つ減少させるよう指示する。
【０１３２】
（４）時刻調節ボタン５押下
クロック３４の現在時刻を、時刻調節ボタン５が押された時に画面に表示されていた時刻に設定する。その直後、インクホルダ４５にインクタンク４４がセットされており、かつ、インクが残っている場合には「正常状態Ｋ２」に移行させ、それ以外の場合には「警告状態Ｋ３」に印刷装置１Ａの動作状態を移行させる。（２）から（４）で時刻修正手段としての機能が実現される。
【０１３３】
このようにしてタイムスタンプＴが書籍、教材やノート等の被印刷媒体に直接印刷される。これにより、前回タイムスタンプＴが印刷された箇所からの時間差に基づき、読書又は勉強の進捗を容易に把握することができる。また、教育の現場においては、例えば、タイムスタンプＴが印刷された教材と同時に使用されたプレゼンテーション用のスライドがインターネット上で公開されている場合等に、そのタイムスタンプＴとスライドの使用日時とを照合することにより、関連するスライドを特定することができるという利点がある。
【０１３４】
本発明の第三の実施の形態について図２１及び図２２を参照して説明する。本実施の形態の印刷装置は、ＰＣやＰＤＡ等の周辺機器としてではなく、単体でタイムスタンプＴを手軽に印刷するための携帯型印刷装置の一例である。特に、本実施の形態の印刷装置は、外部から標準時を取得することにより、装置に内蔵されたクロックを調節するよう構成した装置の一例である。
【０１３５】
本実施の形態の印刷装置１Ｂは、基本的に第一の実施の形態の印刷装置１と同じ構造であり、それらの相違点は、本実施の形態の印刷装置１Ｂが時刻調節ボタン５を備えずに、標準電波ＪＪＹを受信する時刻受信部５０を備えていることである。ここで、図２１は本実施の形態の印刷装置１Ｂが備える各部の電気的接続を示すブロック図である。なお、第一の実施の形態と同一部分は同一符号で示し、説明も省略する。
【０１３６】
本実施の形態の各部の電気的接続は、基本的に第一の実施の形態と同様である。簡単に説明すると、図２１に示すように、印刷装置１Ｂは、全体の制御を行うシステム制御部３０、各ボタンに接続され各ボタンの状態を検出するためのハードキーインターフェース部３１、ＬＣＤ３に画像を表示させるための信号処理を行ってユーザーインターフェースのための各種の画像を生成しその画像をＬＣＤ３に表示させるＬＣＤ表示制御部３２等を内蔵している。システム制御部３０には、モータ駆動回路等の駆動回路（図示せず）を介して印刷部９がバスライン３３により接続されている。なお、印刷部９は、ラベル紙Ｌ１のホルダ８へのセットを検知する検知部（図示せず）を備えている。また、システム制御部３０には、時刻を生成するためのクロック３４がバスライン３３により接続されており、さらに、時刻受信部５０がバスライン３３により接続されている。ここで、クロック３４は時刻を生成する時刻生成手段として機能する。
【０１３７】
この時刻受信部５０は、アンテナや受信回路（いずれも図示せず）等から構成されており、標準電波ＪＪＹを受信する。ここで、標準電波ＪＪＹとは、時間と周波数の標準、並びに協定世界時（ＵＴＣ）に基づく日本標準時（ＪＳＴ）を知らせるために、独立行政法人通信総合研究所で運用している長波帯の電波である。日本では、福島県の大鷹鳥谷山標準電波送信所から４０ｋＨｚの送信周波数で、また大分県の羽金山標準電波送信所から６０ｋＨｚの送信周波数で、その電波が送られている。この電波を受信するには、４０ｋＨｚ又は６０ｋＨｚに同調されたアンテナ、このアンテナで受信された電波をデコードするＩＣ（例えば、ＴＥＭＩＣ社のＵ４２２６Ｂ）及びデコードされたデータを受け取るＰＩＣマイコンを使用すれば良い。
【０１３８】
このような構成において、システム制御部３０によりプログラムに基づいて実行される印刷装置１Ｂの動作について図２２を参照して説明する。図２２は本実施の形態の印刷装置１Ｂの動作を説明するための状態遷移図である。なお、同一名称及び同一符号を付した各状態における動作は第一の実施の形態と同様である。ただし、時刻を取得する動作のみが異なるので、以下に説明する。
【０１３９】
印刷装置１Ｂは、電源ＯＮ／ＯＦＦにかかわらず時計として動作し続ける。システム制御部３０は、１日に１回、装置本体に内蔵されたクロック３４の時刻を調節するために標準電波ＪＪＹを受信するように時刻受信部５０を制御する。ここに、時刻修正手段としての機能が実現される。
【０１４０】
このようにして、時刻受信部５０により印刷装置１Ｂは常に正確な時刻を保持することができ、その結果、他の電子機器と整合のとれた時刻を共有することができる。また、ユーザに時刻を調節させる必要がなく、時刻調節のためのボタンを省略することができる等の利点がある。
【０１４１】
本発明の第四の実施の形態について図２３及び図２４を参照して説明する。本実施の形態の印刷装置は、ＰＣやＰＤＡ等の周辺機器としてではなく、単体でタイムスタンプを手軽に印刷するための携帯型印刷装置の一例である。特に、本実施の形態の印刷装置は、外部から現在の位置情報を取得するよう構成した装置の一例である。
【０１４２】
本実施の形態の印刷装置１Ｃは、基本的に第一の実施の形態の印刷装置１と同じ構造であり、それらの相違点は、本実施の形態の印刷装置１Ｃが、ＧＰＳ（Global Positioning System）衛星が発信する電波を受信する位置情報受信部５５を備えていることである。なお、第一の実施の形態と同一部分は同一符号で示し、説明も省略する。ここで、図２３は本実施の形態の印刷装置１Ｃが備える各部の電気的接続を示すブロック図である。
【０１４３】
本実施の形態の各部の電気的接続は、基本的に第一の実施の形態と同様である。簡単に説明すると、図２３に示すように、印刷装置１Ｃは、全体の制御を行うシステム制御部３０、各ボタンに接続され各ボタンの状態を検出するためのハードキーインターフェース部３１、ＬＣＤ３に画像を表示させるための信号処理を行ってユーザーインターフェースのための各種の画像を生成しその画像をＬＣＤ３に表示させるＬＣＤ表示制御部３２等を内蔵している。システム制御部３０には、モータ駆動回路等の駆動回路（図示せず）を介して印刷部９がバスライン３３により接続されている。なお、印刷部９は、ラベル紙Ｌ１のホルダ８へのセットを検知する検知部（図示せず）を備えている。また、システム制御部３０には、時刻を生成するためのクロック３４がバスライン３３により接続されており、さらに、位置情報受信部５５が接続されている。ここで、クロック３４は時刻を生成する時刻生成手段として機能する。
【０１４４】
この位置情報受信部５５は、アンテナや受信回路（いずれも図示せず）等から構成されており、ＧＰＳ衛星が発信する電波を受信する。ここで、ＧＰＳとは、地球を周る人工衛星からの電波により全地球的に位置を測定できるシステムである。この電波を受信／デコードするモジュールは、既に多数開発されているので、これを位置情報受信部５５に利用することが可能である。
【０１４５】
このような構成において、システム制御部３０によりプログラムに基づいて実行される印刷装置１Ｃの動作について説明する。ここでは、印刷状態における動作を以下に説明する。その他の状態における動作は第一の実施の形態と同様である（図４参照）。
【０１４６】
＜印刷状態Ｊ４＞
印刷状態Ｊ４は、ユーザがタイムスタンプＴの印刷を指示してからラベル紙Ｌ１への印刷が終了するまでの状態を指す。このときのシステム制御部３０の動作の詳細を以下に述べる。
【０１４７】
（１）画面表示変更
ＬＣＤ３に図８に示すような画面を表示するようＬＣＤ表示制御部３２に指示し、ユーザに印刷動作中であることを通知する。
【０１４８】
（２）現在時刻取得
現在の日時をクロック３４より取得する。
【０１４９】
（３）現在位置及び標準時取得
現在の地球上の位置情報を取得するよう位置情報受信部５５に指示する。この指示を受けて位置情報受信部５５は、ＧＰＳ衛星からの電波受信を開始し、現在の位置情報を取得する。ここに、位置取得手段としての機能が実現される。ここでは、取得した現在位置をＬＣＤ３に表示させる処理を行っていないが、これに限るものではなく、取得した現在位置をＬＣＤ３に表示させる処理を行っても良い。ここに、位置表示手段としての機能が実現される。このとき、４つ以上のＧＰＳ衛星が捕捉できた場合、電波受信時における標準時を求めることができるので、その時刻をメモリ等に記憶しておく。
【０１５０】
（４）現在時刻修正
（３）で現在位置の取得に成功した場合、得られた標準時を用いて、装置に内蔵されたクロック３４の現在時刻を修正すると共に、その時刻差を算出する。また、算出した時刻差を用いて、（２）で取得した時刻を修正する。（３）で現在時刻の取得に失敗した場合、時刻の修正を行わない。
【０１５１】
（５）ラスタデータ生成
現在時刻と位置情報をラスタライズし、印刷データであるラスタデータを生成する。ここに、印刷データ生成手段としての機能が実現される。例えば、現在の日時が「2003年2月26日 17時52分27秒」の場合には「2003/02/26 17:52:27」という文字列を生成し、また現在位置が「北緯35度32分4秒、東経139度35分47秒」の場合には「N35°32′04″，E139°35′47″」、という文字列を生成し、更にこれらの文字列からラスタデータを生成する。なお、ＧＰＳ衛星の捕捉の失敗により、位置情報を取得できなかった場合には、現在時刻のみをラスタライズする。
【０１５２】
（６）印刷開始
（５）で生成されたラスタデータを印刷部９に送る。印刷部９は、受け取ったラスタデータに基づいて、現在時刻を示すタイムスタンプＴ及び現在位置をラベル紙Ｌ１に印刷する。ここで、図２４はタイムスタンプＴ及び位置情報が左揃えで印刷されたラベルＬ２の一例を示す説明図である。図２４に示すようなラベルＬ２の空白部の裏側には、繰り返し剥がせる接着剤が塗布されている。なお、ＧＰＳ衛星の捕捉の失敗により、位置情報を取得できなかった場合には、図９に示すように、現在時刻のみをラベルＬ２に印刷する。
【０１５３】
（６）印刷終了
ラベルＬ２がラベル排紙口７より排出されると、印刷部９はシステム制御部３０に対し、印刷動作が終了したことを示す信号を送信する。これを受けてシステム制御部３０は、直ちに印刷装置１の動作状態を「正常状態Ｊ２」に移行させる。なお、印刷状態Ｊ４にある場合、ハードキーインターフェース部３１がユーザからのボタン押下を検知しても、システム制御部３０はそれを無視する。
【０１５４】
このようにしてタイムスタンプＴ及び位置情報が印刷されたラベルＬ２は、例えば、図１３に示すように、書籍や教材等に貼り付ける付箋として利用することができる。これにより、例えば講演中等に紙の資料が配布されている場合や自らが持参したノートに書き込みを行っている場合等に、現在時刻及び位置情報が印刷されたラベルＬ２をそれらの紙媒体に貼り付けることによって、時刻・位置付きのしおりとして利用することができ、好適である。
【０１５５】
本発明の第五の実施の形態について図２５及び図２６を参照して説明する。本実施の形態の印刷装置は、ＰＣやＰＤＡ等の周辺機器としてではなく、単体でタイムスタンプを手軽に印刷するための携帯型印刷装置の一例である。特に、本実施の形態の印刷装置は、文字列のタイムスタンプに代わりにバーコードをラベルに印刷するよう構成した装置の一例である。
【０１５６】
本実施の形態の印刷装置は、基本的に第三の実施の形態の印刷装置１Ｂと同じ構造である（図２１参照）。なお、第三の実施の形態と同一部分は同一符号で示し、説明も省略する。この構成において、システム制御部３０によりプログラムに基づいて実行される印刷装置の動作について説明する。ここでは、印刷状態における動作を以下に説明する。その他の状態における動作は第三の実施の形態と同様である。
【０１５７】
＜印刷状態Ｊ４＞
印刷状態Ｊ４は、ユーザがタイムスタンプＴの印刷を指示してから、ラベル紙への印刷が終了するまでの状態を指す。このときのシステム制御部３０の動作の詳細を以下に述べる。
【０１５８】
（１）画面表示変更
ＬＣＤ３に図８に示すような画面を表示するようＬＣＤ表示制御部３２に指示し、ユーザに印刷動作中であることを通知する。
【０１５９】
（２）現在時刻取得
現在の日時をクロック３４より取得する。
【０１６０】
（３）バーコード生成
得られた現在時刻をラスタライズし、所定のパターン情報であるバーコード情報を生成する。ここに、パターン生成手段としての機能が実現される。例えば、現在の日時が「2003年2月26日 17時52分27秒」の場合、「20030226175227」という、第一の実施の形態で示した文字列から数字以外の記号を除いた文字列を生成し、更にこの文字列をバーコード情報であるラスタデータに変換する。ここでは、バーコードＨの形式は、例えばInterleaved 2 of 5形式とする。
【０１６１】
（４）印刷開始
バーコード情報であるラスタデータを印刷部９に送る。印刷部９は、受け取ったラスタデータに基づいて、所定のパターンであるバーコードＨをラベル紙Ｌ１に印刷する。ここで、図２５は現在時刻を示すバーコードＨが左揃えで印刷されたラベルＬ２の一例を示す説明図である。図２５に示すようなラベルＬ２の空白部の裏側には、繰り返し剥がせる接着剤が塗布されている。
【０１６２】
（５）印刷終了
ラベルＬ２がラベル排紙口７より排出されると、印刷部９はシステム制御部３０に対し、印刷動作が終了したことを示す信号を送信する。これを受けてシステム制御部３０は、直ちに印刷装置１の動作状態を「正常状態Ｊ２」に移行させる。なお、印刷状態Ｊ４にある場合、ハードキーインターフェース部３１がユーザからのボタン押下を検知しても、システム制御部３０はそれを無視する。
【０１６３】
このようにしてタイムスタンプＴがバーコードＨとして印刷されたラベルＬ２は、例えば、書籍や教材等に貼り付ける付箋として利用することができる。これにより、講演中等に紙の資料が配布されている場合や自らが持参したノートに書き込みを行っている場合等に、現在時刻を示すバーコードＨが印刷されたラベルをそれらの紙媒体に貼り付けることによって、例えば、情報処理システムにより記録された動画データ等と容易に関連付けることができ、好適である。
【０１６４】
そのような情報処理システムについて図２６を参照して説明する。図２６は現在時刻を示すバーコードＨが印刷されたラベルＬ２の使用例を示す説明図である。図２６に示すように、情報処理システムでは、講義中に印刷装置１Ｄを用いて教材にバーコードＨが印刷されたラベルＬ２を貼り付け、後で自席のＰＣ６０でそのバーコードＨをバーコードスキャナ６１で読み取るという動作が行われる。ここで、バーコードスキャナ６１により、バーコードＨの示す時刻がＰＣ６０に取り込まれると、動画表示プログラムは、その時刻に対応するビデオデータをビデオサーバ（図示せず）へ要求し、受信したビデオデータを表示画面に表示する。これにより、教材等の紙媒体とビデオデータ等の電子情報とを容易に関連付けることができる。
【０１６５】
以上の各実施の形態は、本発明の実施の一例を説明したにすぎない。下記のように、本発明の構成要素を別の要素に変更した例について説明する。
【０１６６】
例えば、各実施の形態においては、印刷ボタン２を押すことにより印刷動作を開始すると説明したが、印刷指示の出し方は上記以外のものであっても構わない。例えば、既に市販されているＰＤＡにタイムスタンプ印刷機能を付加した装置において、タッチスクリーン画面上に「印刷」と描かれたボタンを表示し、それをペンタップして押下することにより印刷指示を出すことも可能である。
【０１６７】
また、各実施の形態においては、タイムスタンプＴを「西暦/月/日 時:分:秒」という形式で生成し、印刷すると説明したが、これ以外の形式であっても良い。例えば、現在時刻が「2003年2月26日 17時52分27秒」である場合、以下のような形式で印刷しても構わない。
（ａ）  '03.02.26 17:52:27
（ｂ）  平成15年2月26日 午後5時52分27秒
（ｃ）  05:52:27 PM, Feb. 26, 2003
（ｄ）  2003/02/26 （日付のみ印刷）
（ｅ）  05:52 PM （秒数を省いて時間のみ印刷）
さらに、（ａ）から（ｅ）のタイムスタンプＴの形式を選択可能とするよう構成しても良い。また、第四の実施の形態において説明したものと異なる形式で位置情報を印刷しても構わない。
【０１６８】
また、第二の実施の形態においては、印刷部９Ａはインクジェット方式であると説明したが、他の印刷方式であっても構わない。
【０１６９】
また、第二の実施の形態においては、装置の底面に設けられた６つの感圧スイッチ４３全てがＯＮになると被印刷媒体への印刷を開始すると説明したが、これ以外の構成であっても構わない。例えば、底面に感圧スイッチ４３を設ける代わりに、図１６に示すように印刷待機状態Ｋ４において印刷ボタン２を押下すると印刷を開始する等、別の形態であっても良い。
【０１７０】
また、第三の実施の形態においては、時刻受信部５０が外部の時計から取得した標準時に基づき、装置内部のクロック３４を１日１回調節すると説明したが、これ以外の動作で標準時を取得しても構わない。例えば、クロック３４を調節する周期を変更（例えば、１時間毎に調節）するようにしても良い。また、随時標準電波ＪＪＹを受信できる環境下であれば、印刷装置１Ｂがクロック３４を持たずに時刻受信部５０のみを備えれば、第三の実施の形態と同様の動作が可能であり、このような形態であっても構わない。
【０１７１】
また、第三の実施の形態においては、時刻受信部５０が標準電波ＪＪＹを受信することにより標準時を取得すると説明したが、それ以外の仕組みであっても構わない。例えば、時刻受信部５０を無線ＬＡＮ（Local Area Network）インターフェースで構成し、ＮＴＰにより標準時を取得するようにしても良い。
【０１７２】
また、第五の実施の形態においては、現在時刻がコード化されたバーコードＨをバーコードスキャナ６１で読み取ることにより、その時刻に対応するビデオデータが表示されるという使用例を紹介したが、それ以外の方法でビデオデータを表示しても構わない。例えば、図９に示すように、タイムスタンプＴが文字列として印刷されたラベルＬ２を、文字認識機能の付いたＯＣＲスキャナ等で読み取るようにしても良い。
【０１７３】
また、第五の実施の形態においては、タイムスタンプＴをInterleaved 2 of 5形式のバーコードＨとして印刷すると説明したが、コード化される文字列及びバーコードＨの形式は上記以外であっても構わない。例えば、CODE-39等の他の形式でコード化しても良い。
【図面の簡単な説明】
【０１７４】
【図１】本発明の第一の実施の形態の印刷装置の外部構成を概略的に示す正面図である。
【図２】本発明の第一の実施の形態の印刷装置の内部構造を概略的に示す横断側面図である。
【図３】本発明の第一の実施の形態の印刷装置が備える各部の電気的接続を示すブロック図である。
【図４】本発明の第一の実施の形態の印刷装置の動作を説明するための状態遷移図である。
【図５】電源ＯＦＦ状態におけるＬＣＤの表示例を示す説明図である。
【図６】正常状態におけるＬＣＤの表示例を示す説明図である。
【図７】ユーザが左右の選択ボタンを押下したときのラベルステータス表示の変化を示す説明図である。
【図８】印刷状態におけるＬＣＤの表示例を示す説明図である。
【図９】図９はタイムスタンプが印刷されたラベルの一例を示し、（ａ）はタイムスタンプが左揃えで印刷されたラベルを示す説明図、（ｂ）はタイムスタンプが右揃えで印刷されたラベルを示す説明図である。
【図１０】警告状態におけるＬＣＤの表示例を示す説明図である。
【図１１】警告状態におけるＬＣＤの表示例を示す説明図である。
【図１２】時刻調節状態におけるＬＣＤの表示例を示す説明図である。
【図１３】タイムスタンプが印刷されたラベルの使用例を示す模式図である。
【図１４】本発明の第二の実施の形態の印刷装置の外部構成を概略的に示し、（ａ）は正面図、（ｂ）は底面図である。
【図１５】本発明の第二の実施の形態の印刷装置の内部構成を概略的に示すブロック図である。
【図１６】本発明の第二の実施の形態の印刷装置の動作を説明するための状態遷移図である。
【図１７】正常状態におけるＬＣＤの表示例を示す説明図である。
【図１８】警告状態におけるＬＣＤの表示例を示す説明図である。
【図１９】警告状態におけるＬＣＤの表示例を示す説明図である。
【図２０】警告状態におけるＬＣＤの表示例を示す説明図である。
【図２１】本発明の第三の実施の形態の印刷装置が備える各部の電気的接続を示すブロック図である。
【図２２】本発明の第三の実施の形態の印刷装置の動作を説明するための状態遷移図である。
【図２３】本発明の第四の実施の形態の印刷装置が備える各部の電気的接続を示すブロック図である。
【図２４】タイムスタンプ及び位置情報が左揃えで印刷されたラベルの一例を示す説明図である。
【図２５】バーコードが左揃えで印刷されたラベルの一例を示す説明図である。
【図２６】バーコードが印刷されたラベルの使用例を示す説明図である。
【符号の説明】
【０１７５】
１              印刷装置
１Ａ            印刷装置
１Ｂ            印刷装置
１Ｃ            印刷装置
２              操作部（印刷ボタン）
３              表示部（ＬＣＤ）
５，６          修正操作部（時刻調節ボタン，選択ボタン）
８              被印刷媒体収容部（ホルダ）
９              印刷部
９Ａ            印刷部
１４，１５      被印刷媒体搬送部（プラテンローラ，ステップモータ）
Ｌ１            被印刷媒体（ラベル紙）
Ｔ              タイムスタンプ
【図１】
2005059293.tif 000003
【図２】
2005059293.tif 000004
【図３】
2005059293.tif 000005
【図４】
2005059293.tif 000006
【図５】
2005059293.tif 000007
【図６】
2005059293.tif 000008
【図７】
2005059293.tif 000009
【図８】
2005059293.tif 000010
【図９】
2005059293.tif 000011
【図１０】
2005059293.tif 000012
【図１１】
2005059293.tif 000013
【図１２】
2005059293.tif 000014
【図１３】
2005059293.tif 000015
【図１４】
2005059293.tif 000016
【図１５】
2005059293.tif 000017
【図１６】
2005059293.tif 000018
【図１７】
2005059293.tif 000019
【図１８】
2005059293.tif 000020
【図１９】
2005059293.tif 000021
【図２０】
2005059293.tif 000022
【図２１】
2005059293.tif 000023
【図２２】
2005059293.tif 000024
【図２３】
2005059293.tif 000025
【図２４】
2005059293.tif 000026
【図２５】
2005059293.tif 000027
【図２６】
2005059293.tif 000028